(57)【特許請求の範囲】
【請求項１】
ＩＣカード発行者が発行する１枚のＩＣカードで複数のアプリケーションを実行できるマルチアプリケーションＩＣカードの領域管理方法であって、
ＩＣカード相互運用会社は前記ＩＣカード発行者から前記ＩＣカードの領域の余空間を借り受け、余空間の所定の領域に該ＩＣカードの利用者の個人認証情報、あるいは該ＩＣカード相互運用会社端末に格納される個人認証情報を一意に識別する識別子を格納し、
前記ＩＣカード相互運用会社端末には、必要が生じた時に直ちに前記ＩＣカードにアプリケーションをインストールできるように、予めアプリケーション発行者のアプリケーション発行者端末からアプリケーションを入手して格納し、
前記ＩＣカードの利用者が利用する店舗において、該ＩＣカードに前記アプリケーション発行者のアプリケーションを提供する必要が生じた際には、該店舗に該利用者が提示する所定の個人認証情報と該利用者のＩＣカードに格納された個人認証情報とを、前記ＩＣカード相互運用会社が前記アプリケーション発行者に成り代わって照合して認証を行い、該ＩＣカードにＩＣカード相互運用会社端末が格納する当該アプリケーションのインストールを行い、更に、前記ＩＣカード相互運用会社端末から前記アプリケーション発行者端末に対して、利用者登録の際に必要とされる個人情報を提供し、
前記ＩＣカード相互運用会社が、複数の前記ＩＣカード発行者と複数の前記アプリケーション発行者との間をそれぞれの端末装置を介して仲介し、ＩＣカードの領域貸借を一元的に管理することにより、前記ＩＣカード発行者と前記アプリケーション発行者とを任意に組み合わせでマルチアプリケーション環境を実現することを特徴とするマルチアプリケーションＩＣカードの領域管理方法。
【請求項２】
前記アプリケーション発行者端末は、マルチアプリケーション機能を有する前記ＩＣカードにインストールを希望するアプリケーションを予め前記ＩＣカード相互運用会社端末に送付する際に、該アプリケーションのインストール条件も併せて送付し、前記ＩＣカード相互運用会社端末は該インストール条件に適合する利用者にのみアプリケーションのインストールを行う、請求項１に記載のマルチアプリケーションＩＣカードの領域管理方法。
【請求項３】
１枚のＩＣカードで複数のアプリケーションを実行できるマルチアプリケーション機能を有するＩＣカードの利用システムであって、
自らの事業のためにＩＣカードを発行するＩＣカード発行者のＩＣカード発行装置と、
前記ＩＣカード発行者の発行する前記ＩＣカードの余空間の他のアプリケーションへの利用を仲介するＩＣカード相互運用会社のＩＣカード相互運用会社端末と、
前記ＩＣカード発行者の発行する前記ＩＣカードの余空間を自らの事業のアプリケーションに利用するアプリケーション発行者のアプリケーション発行者端末と、
前記ＩＣカードの利用先である店舗の店舗用ＩＣカード読取り書込み端末と、
を備え、
前記ＩＣカード相互運用会社端末と前記ＩＣカード発行装置、前記アプリケーション発行者端末、および店舗用ＩＣカード読取り書込み端末との間は通信回線で結ばれており、
前記ＩＣカード発行装置は、マルチアプリケーション機能を有する前記ＩＣカードを発行する場合に、該ＩＣカードの利用者を特定できる情報、可能な場合は該ＩＣカードの利用者の個人情報を前記ＩＣカード相互運用会社端末に送付し、該ＩＣカード相互運用会社端末より送付された個人認証情報を前記ＩＣカードの所定の領域に格納して該ＩＣカードを前記利用者に交付し、
前記アプリケーション発行者端末は、マルチアプリケーション機能を有する前記ＩＣカードにインストールを希望するアプリケーションを予め前記ＩＣカード相互運用会社端末に送付し、
前記ＩＣカード相互運用会社端末は、前記ＩＣカード発行装置よりマルチアプリケーション機能を有する前記ＩＣカードを発行する先の利用者の個人情報が送付された場合はその個人情報に基づいて該利用者の審査を行い、前記ＩＣカード発行装置より利用者の個人情報が送付されない場合は独自に前記ＩＣカードを発行する先の利用者より個人情報を入手して該利用者の審査を行い、個人情報と個人認証情報とを格納するとともに該個人認証情報を前記ＩＣカード発行装置に送付し、前記アプリケーション発行者端末よりマルチアプリケーション機能を有する前記ＩＣカードにインストールを希望するアプリケーションが送付されるとそれを格納し、前記店舗用ＩＣカード読取り書込み端末より前記ＩＣカードに前記アプリケーション発行者のアプリケーションのインストール要求が有り、本人認証ができれば格納している該アプリケーションを前記店舗用ＩＣカード読取り書込み端末に送付するとともにインストール情報と利用者登録の際に必要とされる利用者の個人情報とを該アプリケーション発行者端末に送付し、
前記店舗用ＩＣカード読取り書込み端末は利用者よりアプリケーションのインストール要求が有れば、前記ＩＣカード相互運用会社端末に当該アプリケーションのインストールを要求し、該利用者の提示する所定の個人認証情報と該利用者のＩＣカードに格納された個人認証情報との照合により認証が行われ、該アプリケーションが送付されれば該利用者のＩＣカードに該アプリケーションをインストールする、ことを特徴とするＩＣカード利用システム。
【請求項４】
前記ＩＣカード相互運用会社端末より前記ＩＣカード発行装置に送付される利用者の個人認証情報は、前記ＩＣカード相互運用会社端末に格納されている利用者の個人認証情報を一意に識別する識別子である、請求項３に記載のＩＣカード利用システム。
【請求項５】
前記アプリケーション発行者端末は、マルチアプリケーション機能を有する前記ＩＣカードにインストールを希望するアプリケーションを予め前記ＩＣカード相互運用会社端末に送付する際に、該アプリケーションのインストール条件も併せて送付し、前記ＩＣカード相互運用会社端末は該インストール条件に適合する利用者にのみアプリケーションのインストールを行う、請求項３または請求項４に記載のＩＣカード利用システム。
【請求項６】
一つの前記ＩＣカード相互運用会社端末に対し、一つ以上の前記ＩＣカード発行装置と、一つ以上の前記アプリケーション発行者端末と、一つ以上の店舗用ＩＣカード読取り書込み端末が接続されている請求項３から請求項５のいずれか１項に記載のＩＣカード利用システム。
【請求項７】
前記個人認証情報は、暗証番号、誕生日のごとき個人的情報、写真のごとき外観的情報、指紋のごときバイオメトリツクス情報の少なくとも一つである請求項３から請求項６のいずれか１項に記載のＩＣカード利用システム。
【請求項８】
自らの事業のためにＩＣカードを発行するＩＣカード発行者のＩＣカード発行装置であって、マルチアプリケーション機能を有するＩＣカードを発行する場合に、該ＩＣカードの利用者を特定できる情報、可能な場合は、該ＩＣカードの利用者の個人情報を、前記ＩＣカードの余空間の他のアプリケーションへの利用を仲介するＩＣカード相互運用会社端末に送付し、該ＩＣカード相互運用会社端末より送付された個人認証情報を前記ＩＣカードの所定の領域に格納して該ＩＣカードを前記利用者に交付するＩＣカード発行装置。
【請求項９】
ＩＣカード発行者の発行するＩＣカードの余空間を自らの事業のアプリケーションに利用するアプリケーション発行者のアプリケーション発行者端末であって、マルチアプリケーション機能を有する前記ＩＣカードにインストールを希望するアプリケーションを予め、前記ＩＣカードの余空間の他のアプリケーションへの利用を仲介するＩＣカード相互運用会社端末に送付するアプリケーション発行者端末。
【請求項１０】
自らの事業のためにＩＣカードを発行するＩＣカード発行者の発行するＩＣカードの余空間の他のアプリケーションへの利用を仲介する、ＩＣカード相互運用会社のＩＣカード相互運用会社端末であって、前記ＩＣカード発行者のＩＣカード発行装置よりマルチアプリケーション機能を有するＩＣカードを発行する先の利用者の個人情報が送付された場合にはその個人情報に基づいて該利用者の審査を行い、前記ＩＣカード発行装置より利用者の個人情報が送付されない場合は独自に前記ＩＣカードを発行する先の利用者より個人情報を入手して該利用者の審査を行い、個人情報と個人認証情報とを格納するとともに該個人認証情報を前記ＩＣカード発行装置に送付し、ＩＣカード発行者の発行するＩＣカードの余空間を自らの事業のアプリケーションに利用する、アプリケーション発行者のアプリケーション発行者端末よりマルチアプリケーション機能を有する前記ＩＣカードにインストールを希望するアプリケーションが送付されるとそれを格納し、ＩＣカードの利用先である店舗の店舗用ＩＣカード読取り書込み端末より前記ＩＣカードに前記アプリケーション発行者のアプリケーションのインストール要求があり、本人認証ができれば格納している該アプリケーションを前記店舗用ＩＣカード読取り書込み端末に送付するとともにインストール情報と利用者登録の際に必要とされる利用者の個人情報とを前記アプリケーション発行者端末に送付するＩＣカード相互運用会社端末。
【請求項１１】
ＩＣカードの利用先である店舗の店舗用ＩＣカード読取り書込み端末であって、利用者よりアプリケーションのインストール要求が有れば、ＩＣカード発行者の発行するＩＣカードの余空間の他のアプリケーションへの利用を仲介するＩＣカード相互運用会社のＩＣカード相互運用会社端末に当該アプリケーションのインストールを要求し、該利用者の提示する所定の個人認証情報と該利用者のＩＣカードに格納された個人認証情報との照合により認証が行われ、該アプリケーションが送付されれば該利用者のＩＣカードに該アプリケーションをインストールする店舗用ＩＣカード読取り書込み端末。
【発明の詳細な説明】
【０００１】
【発明の属する技術分野】
本発明はマルチアプリケーションＩＣカードの領域管理方法と該ＩＣカードの利用システム関し、特にＩＣカード相互運用会社が、複数のＩＣカード発行者と複数アプリケーション発行者との間をそれぞれの端末装置を介して仲介し、ＩＣカードの領域貸借を一元的に管理する領域管理方法と該ＩＣカードの利用システム関する。
【０００２】
【従来の技術】
クレジットカードはカード社会といわれるように消費者に広く普及しているが、従来の磁気形のクレジットカードの偽造や改竄による被害の拡大や、カードにさらに多くの情報を記憶させて利用範囲を広めたいとの要求等により、磁気カードに代わってＩＣカードの急激な普及が見込まれている。ＩＣカードは磁気カードに比ベ、暗号処理を行うＣＰＵと安全かつ大容量の記億装置とを保有するため、偽造対策等のセキュリテイ向上効果の他にも、１枚のカードに複数のアプリケーションを搭載し、１枚のカードで様々なマルチアプリケーションサービスを提供することが期待されている。
【０００３】
【発明が解決しようとする課題】
しかし、この利便性の高いＩＣカードによるマルチアプリケーションサービスの実現に向けては、自らの事業のためにＩＣカードを発行するＩＣカード発行者と、そのＩＣカードを用いて実行が可能な各種のＩＣカードアプリケーションサービスを提供するアプリケーション発行者が、個別に契約する等といったビジネススキームしか存在しないため、ＩＣカードのＣＰＵと安全かつ大容量の記億装置を有効に利用できるマルチアプリケーションサービスの効果的な進展が見られなかった。
【０００４】
本発明の目的は、複数のＩＣカード発行者、アプリケーション発行者、店舗、および利用者を結んで、効率的にマルチアプリケーションスキームを実現できるＩＣカード利用システムとＩＣカードの領域管理方法を提供することにある。
【０００５】
【課題を解決するための手段】
本発明のマルチアプリケーションＩＣカードの領域管理方法は、
ＩＣカード発行者が発行する１枚のＩＣカードで複数のアプリケーションを実行できるマルチアプリケーションＩＣカードの領域管理方式であって、ＩＣカード相互運用会社はＩＣカード発行者からＩＣカードの領域の余空間を借り受け、余空間の所定の領域にそのＩＣカードの利用者の個人認証情報、あるいはそのＩＣカード相互運用会社端末に格納される個人認証情報を一意に識別する識別子を格納し、ＩＣカード相互運用会社端末には、必要が生じた時に直ちにＩＣカードにアプリケーションをインストールできるように、予めアプリケーション発行者のアプリケーション発行者端末からアプリケーシヨンを入手して格納し、ＩＣカードの利用者が利用する店舗において、そのＩＣカードにアプリケーション発行者のアプリケーションを提供する必要が生じた際には、その店舗にその利用者が提示する所定の個人認証情報とその利用者のＩＣカードに格納された個人認証情報とを、ＩＣカード相互運用会社がアプリケーション発行者に成り代わって照合して認証を行い、そのＩＣカードにＩＣカード相互運用会社端末が格納する当該アプリケーションのインストールを行い、更に、ＩＣカード相互運用会社端末からアプリケーション発行者端末に対して、利用者登録の際に必要とされる個人情報を提供し、ＩＣカード相互運用会社が、複数のＩＣカード発行者と複数のアプリケーション発行者との間をそれぞれの端末装置を介して仲介し、ＩＣカードの領域貸借を一元的に管理することにより、ＩＣカード発行者とアプリケーション発行者とを任意に組み合わせでマルチアプリケーション環境を実現する。
【０００６】
アプリケーション発行者端末は、マルチアプリケーション機能を有するＩＣカードにインストールを希望するアプリケーションを予めＩＣカード相互運用会社端末に送付する際に、そのアプリケーションのインストール条件も併せて送付し、ＩＣカード相互運用会社端末はそのインストール条件に適合する利用者にのみアプリケーションのインストールを行ってもよい。
【０００７】
本発明の、ＩＣカードの利用システムは、
１枚のＩＣカードで複数のアプリケーションを実行できるマルチアプリケーション機能を有するＩＣカードの利用システムであって、自らの事業のためにＩＣカードを発行するＩＣカード発行者のＩＣカード発行装置と、ＩＣカード発行者の発行するＩＣカードの余空間の他のアプリケーションへの利用を仲介するＩＣカード相互運用会社のＩＣカード相互運用会社端末と、ＩＣカード発行者の発行するＩＣカードの余空間を自らの事業のアプリケーションに利用するアプリケーション発行者のアプリケーション発行者端末と、ＩＣカードの利用先である店舗の店舗用ＩＣカード読取り書込み端末とを備え、ＩＣカード相互運用会社端末とＩＣカード発行装置、アプリケーション発行者端末、および店舗用ＩＣカード読取り書込み端末との間は通信回線で結ばれており、ＩＣカード発行装置は、マルチアプリケーション機能を有するＩＣカードを発行する場合に、該ＩＣカードの利用者を特定できる情報、可能な場合はそのＩＣカードの利用者の個人情報をＩＣカード相互運用会社端末に送付し、そのＩＣカード相互運用会社端末より送付された個人認証情報をＩＣカードの所定の領域に格納してそのＩＣカードを利用者に交付し、アプリケーション発行者端末は、マルチアプリケーション機能を有するＩＣカードにインストールを希望するアプリケーションを予めＩＣカード相互運用会社端末に送付し、ＩＣカード相互運用会社端末は、ＩＣカード発行装置よりマルチアプリケーション機能を有するＩＣカードを発行する先の利用者の個人情報が送付された場合はその個人情報に基づいてその利用者の審査を行い、ＩＣカード発行装置より利用者の個人情報が送付されない場合は独自にＩＣカードを発行する先の利用者より個人情報を入手してその利用者の審査を行い、個人情報と個人認証情報とを格納するとともにその個人認証情報をＩＣカード発行装置に送付し、アプリケーション発行者端末よりマルチアプリケーション機能を有するＩＣカードにインストールを希望するアプリケーションが送付されるとそれを格納し、店舗用ＩＣカード読取り書込み端末よりＩＣカードにアプリケーション発行者のアプリケーションのインストール要求が有り、本人認証ができれば格納しているそのアプリケーションを店舗用ＩＣカード読取り書込み端末に送付するとともにインストール情報と利用者登録の際に必要とされる利用者の個人情報とをそのアプリケーション発行者端末に送付し、店舗用ＩＣカード読取り書込み端末は利用者よりアプリケーションのインストール要求が有れば、ＩＣカード相互運用会社端末に当該アプリケーションのインストールを要求し、その利用者の提示する所定の個人認証情報とその利用者のＩＣカードに格納された個人認証情報との照合により認証が行われ、そのアプリケーションが送付されればその利用者のＩＣカードに該アプリケーションをインストールする。
【０００８】
ＩＣカード相互運用会社端末よりＩＣカード発行装置に送付される利用者の個人認証情報は、ＩＣカード相互運用会社端末に格納されている利用者の個人認証情報を一意に識別する識別子であってもよい。
【０００９】
アプリケーション発行者端末は、マルチアプリケーション機能を有するＩＣカードにインストールを希望するアプリケーションを予めＩＣカード相互運用会社端末に送付する際に、そのアプリケーションのインストール条件も併せて送付し、ＩＣカード相互運用会社端末はそのインストール条件に適合する利用者にのみアプリケーションのインストールを行ってもよい。
【００１０】
一つのＩＣカード相互運用会社端末に対し、一つ以上のＩＣカード発行装置と、一つ以上のアプリケーション発行者端末と、一つ以上の店舗用ＩＣカード読取り書込み端末が接続されていることが望ましい。
【００１１】
個人認証情報は、暗証番号、誕生日のごとき個人的情報、写真のごとき外観的情報、指紋のごときバイオメトリックス情報の少なくとも一つであることが望ましい。
【００１２】
【発明の実施の形態】
次に、本発明のマルチアプリケーションＩＣカードの領域管理方法を適用したＩＣカード利用システムの実施の形態について図面を参照して説明する。図１は本発明のＩＣカード利用システムの模式的ブロック構成図であり、図２は本発明のＩＣカード利用システムの機能を説明するための模式図であり、図３は本発明のＩＣカードの領域管理方式を説明するための模式図である。
【００１３】
本発明のＩＣカード利用システムは、マルチアプリケーション機能を有するマルチアプリケーションＩＣカード（以下単にＩＣカードと略す）１２を自らの事業のために発行するＩＣカード発行者１０のＩＣカード発行装置１１と、ＩＣカード発行者１０の発行するＩＣカード１２の他のアプリケーションへの利用を仲介するＩＣカード相互運用会社２０のＩＣカード相互運用会社端末２１と、ＩＣカード発行者１０の発行するＩＣカード１２を自らの事業のアプリケーションに利用するアプリケーション発行者３０のアプリケーション発行者端末３１と、ＩＣカード１２の利用先である店舗４０の店舗用カード読取り書込み端末４１とを備え、ＩＣカード相互運用会社端末２１とＩＣカード発行装置１１、アプリケーション発行者端末３１、および店舗用カード読取り書込み端末４１との間は通信回線６０で結ばれている。発行者１０の発行するＩＣカード１２は利用者５０が店舗４０で利用する。ＩＣカード相互運用会社２０は単数であるが、ＩＣカード発行者１０、アプリケーション発行者３０、店舗４０およびＩＣカード１２の利用者５０は複数であってもよい。また、通信回線６０は通信ネットワークであってもよい。
【００１４】
次に図１、図２、図３を参照して、ＩＣカード利用システムとＩＣカードの領域管理方式の仕組みの概要を説明する。ＩＣカード相互運用会社２０は、マルチアプリケーションＩＣカード１２を発行するＩＣカード発行者１０から、ＩＣカード領域の余空間を借り受け、そこに個人認証情報、あるいはＩＣカード相互運用会社端末２１に保管する個人認証情報との対応を取るための識別子等を格納しておく。なおここで、ＩＣカ一ドの領域を借り受ける具体的な方式としては、例えば特開平６−２２２９８０号公報に開示されるＩＣカ一ドメモリの管理方法等か適用できる。
【００１５】
ＩＣカード相互運用会社２０は、必要が生じた時に直ちにＩＣカード１２にアプリケーションをインストールできるように、予めアプリケーション発行者３０からＩＣカード１２にインストールするアプリケーションを預かって、ＩＣカード相互運用会社端末２１に格納しておく。
【００１６】
例えば利用者５０がＩＣカード１２を店舗４０に提示して新たなアプリケーションサービスを要求した場合などで、新たなアプリケーションを提供する必要が生じた際に、利用者５０が本ＩＣカード１２を保有していれば、ＩＣカード相互運用会社２０がアプリケーション発行者３０に成り代わって、店舗用ＩＣカード読取り書込み端末４１でＩＣカード１２から読み取った個人認証情報、あるいは店舗用ＩＣカード読取り書込み端末４１でＩＣカード１２から読み取った識別子と対応するＩＣカード相互運用会社端末２１に格納された個人認証情報を本人より提供された個人認証情報と比較することにより、本人であり、かつアプリケーション発行者３０の規定するサービス受容資格があることを検証した上で、ネットワーク等の通信回線６０を介してＩＣカード相互運用会社端末２１に格納されたアプリケーションを店舗用ＩＣカード読取り書込み端末４１に通知し、直ちにＩＣカード１２にインストールする。更に、ＩＣカード相互運用会社端末２１からアプリケーション発行者端末３１に対して、アプリケーション発行者３０が利用者登録の際に必要とされる情報を提供する。本人の認証はＩＣカード相互運用会社端末２１で行うことが好ましいが店舗４０側で行ってもよく、特に個人認証情報が顔写真である場合は店舗４０で利用者の顔と比較する必要がある。
【００１７】
ＩＣカード相互運用会社２０が、複数のＩＣカード発行者１０と複数のアプリケーション発行者３０との間を仲介し、ＩＣカード１２の領域貸借を一元的に管理することにより、ＩＣカード発行者１０およびアプリケーション発行者３０の任意の組み合わせでマルチアプリケーション環境を実現する新たなビジネススキームが確立される。
【００１８】
次に具体的なサービスイメージについて実施例について説明する。クレジットカード会社などのＩＣカード発行者１０が、ＩＣカード発行者１０の発行したＩＣカード１２の余空間をＩＣカード相互運用会社２０に貸与し、発行したＩＣカード利用者５０を特定できる情報、可能な場合はＩＣカード利用者５０の個人情報および必要に応じて個人認証情報をＩＣカード相互運用会社２０に通知すると、ＩＣカード相互運用会社２０は個人情報が通知された場合はその情報に基づいて審査を行い、ＩＣカード発行装置より利用者の個人情報が送付されない場合は独自にＩＣカードを発行する先の利用者より個人情報を入手してその利用者の審査を行い、ＩＣカード相互運用会社端末２１に個人情報と個人認証情報を格納し、個人認証情報あるいは個人認証情報に対応する識別子を通信回線６０を経由してＩＣカード発行者１０のＩＣカード発行装置１１に通知し、ＩＣカード発行装置１１はＩＣカード１２の所定の領域に個人認証情報あるいは識別子を格納して利用者５０に交付する。
【００１９】
利用者５０はＩＣカード発行者１０の指定する店舗４０でこのＩＣカード１２を利用するが、このＩＣカード１２を持ってガソリンスタンドに行った際にそのガソリンスタンドが所属するアプリケーション発行者３０の会員になることを表明した場合、店舗４０であるガソリンスタンドは新たに会員証を作成するためそのＩＣカード１２を店舗用ＩＣカード読取り書込み端末４１に読み込ませ、ＩＣカード１２に格納されている個人認識情報またはＩＣカード１２に格納されている識別子により通信回線６０を介してＩＣカード相互運用会社端末２１から読み出した個人認識情報と、利用者５０が提示する個人認識情報例えば暗証番号、誕生日等の個人的情報、本人の外観的情報、指紋等のバイオメトリックス情報と照合し、認証された場合は個人認識情報または識別子とともにガソリンスタンドが所属するアプリケーション発行者３０の会員登録依頼を通信回線６０を介してＩＣカード相互運用会社端末２１に通知する。この場合個人認識情報が本人の外観的情報以外の場合は、利用者５０が提示する個人認識情報をＩＣカード相互運用会社端末２１に通知して、ＩＣカード相互運用会社端末２１で認証を行ってもよい。
【００２０】
ＩＣカード相互運用会社２０はガソリンスタンドから送られたＩＣカード１２内の個人認証情報あるいは識別子で利用者５０を識別し、予めＩＣカード相互運用会社２０が預かってＩＣカード相互運用会社端末２１に格納されているガソリンスタンドの会員権アプリケーションを直ちに通信回線６０を介して店舗用ＩＣカード読取り書込み端末４１に通知しＩＣカード１２にインストールする。
【００２１】
これにより、利用者５０は直ちにガソリンスタンドの会員になり特典を受けることができる。ガソリンスタンドも、本人認証からカード発行までの業務が大幅に削減できる。更にＩＣカード１２を発行したクレジットカード会社としては、利用者５０がそのクレジットカードを日常的に所持することになり利用機会の拡大が期待できる。
【００２２】
他の実施例としてＩＣカード発行者１０が銀行であり、銀行の発行したＩＣカード１２の余空間をＩＣカード相互運用会社２０に貸与した場合について説明する。銀行がＩＣカード利用者５０を特定できる情報、可能であればＩＣカード利用者５０の個人情報および必要に応じて個人認証情報をＩＣカード相互運用会社２０に通知すると、 ＩＣカード相互運用会社２０は、個人情報が通知された場合はその個人情報と個人認証情報とを、銀行より利用者の個人情報が送付されない場合は独自にＩＣカードを発行する先の利用者より入手した個人情報と個人認証情報とを、ＩＣカード相互運用会社端末２１に格納し、個人認証情報あるいは個人認証情報に対応する識別子を通信回線６０を経由して銀行であるＩＣカード発行者１０のＩＣカード発行装置１１に通知し、ＩＣカード発行装置１１はＩＣカード１２の所定の領域に個人認証情報あるいは識別子を格納して利用者５０に交付する。
【００２３】
利用者がこのＩＣカード１２を持って百貨店に行き、新たに購入ポイントカードを作成する意志を表明した場合には、店舗４０である百貨店は新たに購入ポイントカードをＩＣカード１２に作成するためそのＩＣカード１２を店舗用ＩＣカード読取り書込み端末４１に読み込ませ、ＩＣカード１２に格納されている個人認識情報またはＩＣカード１２に格納されている識別子により通信回線６０を介してＩＣカード相互運用会社端末２１から読み出した個人認識情報と、利用者５０が提示する個人認識情報例えば暗証番号、誕生日等の個人的情報、本人の外観的情報、指紋等のバイオメトリックス情報と照合し、認証された場合は個人認識情報または識別子とともに購入ポイントカード登録依頼を通信回線６０を介してＩＣカード相互運用会社端末２１に通知する。この場合個人認識情報が本人の外観的情報以外の場合は、利用者５０が提示する個人認識情報をＩＣカード相互運用会社端末２１に通知して、ＩＣカード相互運用会社端末２１で認証を行っても
よい。
【００２４】
ＩＣカード相互運用会社２０は百貨店から送られたＩＣカード１２内の個人認証情報あるいは識別子で利用者５０を識別し、予めＩＣカード相互運用会社２０が預かってＩＣカード相互運用会社端末２１に格納されている購入ポイントカードアプリケーションを直ちに通信回線６０を介して店舗用ＩＣカード読取り書込み端末４１に通知しＩＣカード１２にインストールする。
【００２５】
これにより、利用者は直ちに購入ポイントサービスを受けることができる。百貨店、銀行も前例と同様のメリットを受ける。
【００２６】
次に、本発明のＩＣカードの領域管理方法とＩＣカード利用システムとの処理の流れについて説明するが、先ず本ビジネススキームで登場するプレイヤーを図１、図２を参照して説明する。
１）利用者５０：ＩＣカード１２を保有し利用する者
２）ＩＣカード発行者１０：利用者５０に対してＩＣカード１２を発行する会社３）アプリケーション発行者３０：利用者に対してサービスを提供するため、マルチアプリケ一ションＩＣカード１２上で動作するアプリケーションを提供する会社
４）ＩＣカード相互運用会社２０：ＩＣカード発行者１０からＩＣカード１２の余空間を借り受け、アプリケーション発行者３０に貸与する会社であり、本ビジネススキームの中心となる会社
５）店舗４０：利用者５０がＩＣカード１２を利用する店、必要に応じてその場（店頭）で個人認証を行い、アプリケーションをインストールする。
【００２７】
次に具体的な処理の流れについて説明する。
１）ＩＣカード発行者１０とＩＣカード相互運用会社２０間で行われる事前処理：
（１）ＩＣカード発行者１０は、ＩＣカード１２内の余空間（ＩＣカード発行者１０がＩＣカード上で確保する空間以外の残りの空間）をＩＣカード相互運用会社２０に貸し出す契約を行う。この貸し出しのため、ＩＣカード発行者１０は、余空間ヘの情報書込み・読出しを行うための鍵をＩＣカード相互運用会社２０に開示する。このＩＣカード領域を借り受ける具体的な方式としては、特開平６−２２２９８０号公報に開示されたＩＣカードメモリの管理方法等が適用できるが本発明ではＩＣカ一ド領域の具体的な管理方式は特定しない。
【００２８】
（２）ＩＣカード相互運用会社２０の扱うＩＣカード１２であることを明示するため、ＩＣカード発行者１０はＩＣカード面のいずれかの位置に、その旨の標記または識別可能なロゴマーク等を表記する等の手段をとる。
２）アプリケーション発行者３０とＩＣカード相互運用会社２０との間の事前処理：
（１）アプリケーション発行者３０のアプリケーションをＩＣカード相互運用会社２０に預け、必要に応じてインストールを行ってもらうための契約を行う。
【００２９】
（２）アプリケーション発行者３０のアプリケーションを利用者５０のＩＣカード１２に即座にインストールできるようにするため、ＩＣカード相互運用会社２０はアプリケーション発行者３０からアプリケーションを領かり、ＩＣカード相互運用会社端末２１に格納する。同時に、アプリケーション発行者３０はアプリケーションをインストールするための条件（年齢制限等の個人資格等）をＩＣカード相互運用会社２０に提示し、ＩＣカード相互運用会社２０はＩＣカード相互運用会社端末２１に格納する。
３）ＩＣカード発行時：
（１）利用者５０が、ＩＣカード相互運用会社２０の取り扱うＩＣカード１２の発行をＩＣカード発行者１０に申請した場合には、ＩＣカード発行者１０側でのＩＣカード発行処理と並行して、通信回線６０を経由してＩＣカード相互運用会社端末２１に利用者５０を特定できる情報、可能であれば個人情報および必要に応じて個人認証情報を通知し、ＩＣカード相互運用会社２０側では利用者５０の個人審査を行い、個人認証情報をＩＣカード相互運用会社端末２１ヘ保存し、その個人認証情報またはその個人認証情報を一意に識別する情報である識別子を通信回線６０を経由してＩＣカード発行装置１１に通知し、ＩＣカードの所定の領域に書込みを行う。 ＩＣカード相互運用会社２０にＩＣカード発行者１０から個人情報が通知されない場合は、例えば利用者５０から利用者５０がＩＣカード発行者へ提出した申込書の写しを受領するなどの方法で、独自に利用者の個人情報を入手する。
【００３０】
（２）個人認証情報とは、その利用者のみが知りうる暗証番号、誕生日等の個人的情報、写真等の外観的情報、指紋等のバイオメトリックス情報等である。従ってアプリケーションソフトのインストールを行う店舗４０の端末は、暗証番号、誕生日等の個人的情報の場合は入力用のキーボードを、指紋等のバイオメトリックス情報の場合はその入力装置を備える必要がある。個人認証情報はＩＣカード発行者１０が利用者５０から申告あるいは採集してＩＣカード相互運用会社２０に通知してもよく、暗証番号や個人的情報はＩＣカード相互運用会社２０が設定してもよい。
【００３１】
（３）また同時に、ＩＣカード相互運用会社２０は、利用者の個人情報（例えば、住所、氏名、年齢、職業、決済口座番号等）を個人認識情報とリンクさせてＩＣカード相互運用会社端末２１内に登録する。この個人情報のうち利用者登録の際に必要とされる個人情報は、アプリケーションがＩＣカード１２にインストールされる際に、利用者５０の許諾の下でＩＣカード相互運用会社２０からアプリケーション発行者３０ヘ利用者情報として開示される。
【００３２】
（４）ＩＣカード申し込みの際にＩＣカード相互運用会社２０の個人審査等が行われることは、ＩＣカード発行者１０が利用者に提示する申請書の規約に予め盛り込んでおく。
４）アプリケーションインストール：
（１）店舗４０で利用者が新たなサービスを受けるためアプリケーションのインストールが必要になった場合、店舗４０はＩＣカード１２を店舗用ＩＣカード読取り書込み端末４１に読み込ませ、ＩＣカード１２に格納されている個人認識情報またはＩＣカード１２に格納されている識別子により通信回線６０を介してＩＣカード相互運用会社端末２１から読み出した個人認識情報と、利用者５０が提示する個人認識情報例えば暗証番号、誕生日等の個人的情報、本人の外観的情報、指紋等のバイオメトリックス情報と照合し、認証された場合は個人認識情報または識別子とともにアプリケーションインストール依頼を通信回線６０を介してＩＣカード相互運用会社端末２１に通知する。この場合個人認識情報が本人の外観的情報以外の場合は、利用者５０が提示する個人認識情報をＩＣカード相互運用会社端末２１に通知して、ＩＣカード相互運用会社端末２１で認証を行ってもよい。
【００３３】
ＩＣカード相互運用会社２０はＩＣカード相互運用会社端末２１にサービス受給資格（アプリケーション発行者３０から提示された年齢制限等の条件）が格納されていないか確認し、更にアプリケーションのインストール条件（ＩＣカードの余空間量が十分か等）を満たすことを確認した上で、ＩＣカード相互運用会社端末２１に格納されたアプリケーションを通信回路６０を経由して店舗用ＩＣカード読取り書込み端末４１に通知し、ＩＣカード１２にインストールする。以上の店舗とＩＣカード相互運用会社２０とのやり取りは、ネットワークを介した通信で行うことができる。
【００３４】
（２）アプリケーションインストールと同時に、サービス提供のために必要とされるＩＣカード相互運用会社端末２１に格納された利用者情報のうち利用者登録の際に必要とされる利用者情報がＩＣカード相互運用会社２０からアプリケーション発行者３０のアプリケーション発行者端末３１ヘ提供される。
【００３５】
（３）アプリケーションをＩＣカード１２にインストールしても、利用者５０に対してそのサービスの利用者になったとの視覚的に明確な痕跡が残らないため、例えば電熱的な手段等によりカード面になんからの表示を追記するか、あるいはＩＣカード１２とは別に紙カード等を発行する。
５）利用者のＩＣカード紛失・破損時：
（１）利用者５０がＩＣカード１２を破損した時には、破損したＩＣカードを回収すると共に、ＩＣカード発行者１０が再発行したＩＣカード１２に、ＩＣカード相互運用会社２０が過去のインストール履歴を元にアプリケーションを再インストールし、利用者に発行する。
【００３６】
（２）利用者がＩＣカード１２を紛失した時には、ＩＣカード１２は不正利用されないように、ＩＣカード発行者１０およびＩＣカード相互運用会社２０がそのＩＣカード１２の失効処理を行う。具体的には、店舗用ＩＣカード読取り書込み端末４１等ヘ利用できないＩＣカード１２である旨を通知する。以降は、カード破損時と同様の再発行処理を行う。
【００３７】
次に、図４を参照して本発明のＩＣカード利用システムにおける金の流れについて説明する。図４は本発明のＩＣカード利用システムにおける金の流れを説明するための模式図である。
１）ＩＣカード相互運用会社２０からＩＣカード発行者１０ヘ、ＩＣカード領域貸与、およびＩＣカード面ヘのロゴ等の表示に対する対価が支払われる。
２）アプリケーション発行者３０からＩＣカード相互運用会社２０ヘ、ＩＣカード領域貸与、個人認証、アプリケーション一次預かりおよびインストール、利用者情報提供に対する対価が文払われる。
【００３８】
【発明の効果】
以上説明したように、本発明によれば以下のような効果が期待できる。
１）ＩＣカード発行者にとっては、様々なサービスが追加・利用されるため、発行したＩＣカードが使われないまま引出し等に死蔵される恐れが減り、利用率向上が見込め、さらにＩＣカードの余空間貸し出しによる収入増が見込める。
２）利用者にとっては、従来はそれぞれのアプリケーションサービス提供者が発行していたカードを１枚に集約することができ、常時携帯するＩＣカードが少なくて済み、さらに従来は、与信・発行処理のため申し込んでから数日待たされていたカード発行が、個人認証およびアプリケーションインストールが即座に行われるため即時に可能になる。
３）アプリケーション発行者にとっては、従来、煩雑で時間がかかった個人認証およびカード発行処理を、即座に行うことができ、業務の効率化が可能となり、さらにＩＣカードの発行が不要になり、コストの削減が図れる。
４）ＩＣカード発行者、およびＩＣカード相互運用会社の２者のみがＩＣカード内の情報を管理するため、旧カードを紛失・破損した場合等には、店舗でのオフライン処理で更新・追記された情報を除き、ＩＣカード再発行処理が極めて容易になる。
【図面の簡単な説明】
【図１】本発明のＩＣカード利用システムの模式的ブロック構成図である。
【図２】本発明のＩＣカード利用システムの機能を説明するための模式図である。
【図３】本発明のＩＣカードの領域管理方式を説明するための模式図である。
【図４】本発明のＩＣカード利用システムにおける金の流れを説明するための模式図である。
【符号の説明】
１０    ＩＣカード発行者
１１    ＩＣカード発行装置
１２    ＩＣカード
２０    ＩＣカード相互運用会社
２１    ＩＣカード相互運用会社端末
３０    アプリケーション発行者
３１    アプリケーション発行者端末
４０    店舗
４１    店舗用ＩＣカード読取り書込み端末
５０    利用者
６０    通信回線
【図１】
0003677195.tif 000002
【図２】
0003677195.tif 000003
【図３】
0003677195.tif 000004
【図４】
0003677195.tif 000005